(57)【要約】      （修正有）【課題】まほうびん保温モードの選択設定操作を容易にするとともに通常保温モードとの区別を明確にする。【解決手段】ＯＮ，ＯＦＦ制御することにより、湯を所定の温度に保温する通常保温モードおよび加熱手段をＯＦＦにして、まほうびん保温状態で保温するまほうびん保温モードの２つの保温制御モードを有する保温制御手段と、通常保温モードおよび通常保温モードにおける保温温度を選択設定する保温選択スイッチと、まほうびん保温モードを選択するスイッチと、湯の温度を検出する湯温検出手段とを備え、まほうびん保温モードが解除された時には、湯温検出手段により検出される内容器内の湯の温度に応じ、同湯の温度が所定の温度以下に低下している時には内容器内の湯を加熱手段により加熱する一方、同湯の温度が所定の温度よりも高い時には、通常保温モードにおける所定の設定保温温度で保温を継続するようにした。【選択図】図７
2008237926.tif 000002
【特許請求の範囲】
【請求項１】
湯沸しおよびまほうびん保温が可能な内容器と、該内容器内の湯を加熱する加熱手段と、該加熱手段に対する電源をＯＮ，ＯＦＦ制御することにより、上記内容器内の湯を所定の温度に保温する通常保温モードおよび同加熱手段をＯＦＦにして、まほうびん保温状態で保温するまほうびん保温モードの２つの保温制御モードを有する保温制御手段と、上記通常保温モードおよび同通常保温モードにおける保温温度を選択設定する保温選択スイッチと、上記まほうびん保温モードを選択するスイッチと、上記内容器内の湯の温度を検出する湯温検出手段とを備え、上記まほうびん保温モードを選択するスイッチにより選択されていたまほうびん保温モードが解除された時には、上記湯温検出手段により検出される上記内容器内の湯の温度に応じ、同湯の温度が所定の温度以下に低下している時には上記内容器内の湯を上記加熱手段により加熱する一方、同湯の温度が所定の温度よりも高い時には、上記通常保温モードにおける所定の設定保温温度で保温を継続するようにしたことを特徴とする電気ポット。
【請求項２】
湯沸しおよびまほうびん保温が可能な内容器と、該内容器内の湯を加熱する加熱手段と、該加熱手段に対する電源をＯＮ，ＯＦＦ制御することにより、上記内容器内の湯を所定の温度に保温する通常保温モードおよび同加熱手段をＯＦＦにして、まほうびん保温状態で保温するまほうびん保温モードの２つの保温制御モードを有する保温制御手段と、上記通常保温モードおよび同通常保温モードにおける保温温度を選択設定する保温選択スイッチと、上記まほうびん保温モードを選択するスイッチと、上記内容器内の湯の温度を検出する湯温検出手段とを備え、上記まほうびん保温モードを選択するスイッチにより選択されていたまほうびん保温モードが解除された時には、上記湯温検出手段により検出される湯温の降下度合から、上記内容器内への水の継ぎ足しがあったか否かを判定し、水の継ぎ足しがあった時には上記加熱手段により上記内容器内の湯を加熱する一方、水の継ぎ足しがなかった時には、上記通常保温モードにおける所定の設定保温温度で保温を継続するようにしたことを特徴とする電気ポット。
【請求項３】
湯沸しおよびまほうびん保温が可能な内容器と、該内容器内の湯を加熱する加熱手段と、該加熱手段に対する電源をＯＮ，ＯＦＦ制御することにより、上記内容器内の湯を所定の温度に保温する保温加熱制御手段とを備えてなる電気ポットであって、通常保温モードおよび同通常保温モードにおける保温温度を選択設定する保温選択スイッチと、まほうびん保温モードを選択するスイッチとを設け、通常保温モード選択中にまほうびん保温モードを選択するスイッチを操作するとまほうびん保温モードに入り、まほうびん保温モード選択中に保温選択スイッチ又は又はまほうびん保温モードを選択するスイッチを操作すると通常保温モードに入るが、通常保温モード選択中に保温選択スイッチを操作しても、まほうびん保温モードには入らないようにする一方、湯沸し中にまほうびん保温モードを選択するスイッチを押すと、湯沸し工程終了後、通常保温モードに優先してまほうびん保温モードに遷移し、まほうびん保温を行うようにしたことを特徴とする電気ポット。
【請求項４】
湯沸しおよびまほうびん保温が可能な内容器と、該内容器内の湯を加熱する加熱手段と、該加熱手段に対する電源をＯＮ，ＯＦＦ制御することにより、上記内容器内の湯を所定の温度に保温する保温加熱制御手段と、通常保温モードおよび同通常保温モードにおける保温温度を選択設定する保温選択スイッチと、通常保温モードの選択設定温度を記憶する保温設定温度記憶手段と、まほうびん保温モードを選択するスイッチとを備え、通常保温モード選択中にまほうびん保温モードを選択するスイッチを操作するとまほうびん保温モードに入り、まほうびん保温モード選択中に保温選択スイッチ又は又はまほうびん保温モードを選択するスイッチを操作すると通常保温モードに入るが、通常保温モード選択中に保温選択スイッチを操作しても、まほうびん保温モードには入らないようにしてなる電気ポットであって、上記保温選択スイッチの選択設定操作により、上記通常保温モードの保温設定温度が選択され確定した際には、上記保温設定温度記憶手段に該通常保温モードの保温設定温度を記憶する一方、上記まほうびん保温モードを選択するスイッチが押されてまほうびん保温モードが選択された場合には、上記保温設定温度記憶手段に記憶されている設定温度を更新せず、次にまほうびん保温モードが解除された時には、同それまでに記憶している通常保温モードの保温設定温度で保温するようにしたことを特徴とする電気ポット。
【発明の詳細な説明】
【技術分野】
【０００１】
本願発明は、まほうびん保温機能を備えた電気ポットに関するものである。
【背景技術】
【０００２】
最近では、湯を入れる内容器を真空二重壁構造又は断熱材介装構造とすることにより、断熱機能を高くして、保温性能、省エネ性能を向上させた電気ポットが多く提供されるようになっている（特許文献１参照）。
【０００３】
このような電気ポットの場合、例えば「通常保温モード」と「まほうびん保温モード」の２つの保温モードがある。通常保温モードでは保温ヒータを完全にＯＦＦにするのではなく、例えば１分間ＯＮにした後、５分間ＯＦＦにする等の湯の冷めない範囲でのＯＮ，ＯＦＦ制御を繰り返し、可能な限り合計のＯＦＦ時間を長くすることによって、省エネを図りながら、所望の設定温度での保温を行っている。一方、まほうびん保温モードでは、基本的に保温ヒータをＯＦＦにし、最大の省エネ効果を得るようにしている。
【０００４】
【特許文献１】特開２００２−１５３３８１号公報（明細書第１頁−１１頁、図１−図４）
【発明の開示】
【発明が解決しようとする課題】
【０００５】
ところで、上記のような従来のまほうびん保温機能をもつ電気ポットにおいて、「まほうびん保温モード」を選択する場合は、例えば図１７のような保温温度設定機能を備えたアップダウンスイッチ４３ａ，４３ｂよりなる保温選択スイッチを何度か押して、そのローテーションの中から「まほうびん保温」機能を選択する必要がある。
【０００６】
しかし、最近の製品のように、保温選択が可能な設定温度が多くなると（例えば９８℃，９０℃，７０℃，６０℃など）、まほうびん保温を選択する際、同アップダウンスイッチ４３ａ，４３ｂを何度も押す必要があり、非常に不便である。
【０００７】
本願発明は、このような事情に基いてなされたもので、まほうびん保温スイッチと保温選択スイッチを設け、まほうびん保温スイッチではまほうびん保温機能のＯＮ／ＯＦＦを切り替え可能とする一方、保温選択スイッチではまほうびん保温へは移行しないようにすることによって、操作性が良く、両保温機能の識別性を高くした電気ポットを提供することを目的とするものである。
【課題を解決するための手段】
【０００８】
本願各発明は、上記の目的を達成するために、それぞれ次のような課題解決手段を備えて構成されている。
【０００９】
（１）  請求項１の発明
この発明の課題解決手段は、湯沸しおよびまほうびん保温が可能な内容器と、該内容器内の湯を加熱する加熱手段と、該加熱手段に対する電源をＯＮ，ＯＦＦ制御することにより、上記内容器内の湯を所定の温度に保温する通常保温モードおよび同加熱手段をＯＦＦにして、まほうびん保温状態で保温するまほうびん保温モードの２つの保温制御モードを有する保温制御手段と、上記通常保温モードおよび同通常保温モードにおける保温温度を選択設定する保温選択スイッチと、上記まほうびん保温モードを選択するスイッチと、上記内容器内の湯の温度を検出する湯温検出手段とを備え、上記まほうびん保温モードを選択するスイッチにより選択されていたまほうびん保温モードが解除された時には、上記湯温検出手段により検出される上記内容器内の湯の温度に応じ、同湯の温度が所定の温度以下に低下している時には上記内容器内の湯を上記加熱手段により加熱する一方、同湯の温度が所定の温度よりも高い時には、上記通常保温モードにおける所定の設定保温温度で保温を継続するようにしたことを特徴としている。
【００１０】
このような構成によると、通常保温モードからまほうびん保温モードを選択する際に、まほうびん保温モードを選択するスイッチをワンタッチ操作することで簡単に選択することができるようになり、スイッチ操作が煩わしくなくなる。
【００１１】
一方、まほうびん保温モードを選択するスイッチにより選択されていたまほうびん保温モードが解除された時には、湯温検出手段により検出される内容器内の湯の温度に応じて、同湯の温度が所定の温度以下に低下している時には内容器内の湯を加熱手段により加熱して昇温させる一方、同湯の温度が所定の温度よりも高い時には、上記通常保温モードにおける所定の設定保温温度で保温を継続することにより、それぞれ所望の温度の湯を得ることができるようにしている。
【００１２】
（２）  請求項２の発明
この発明の課題解決手段は、湯沸しおよびまほうびん保温が可能な内容器と、該内容器内の湯を加熱する加熱手段と、該加熱手段に対する電源をＯＮ，ＯＦＦ制御することにより、上記内容器内の湯を所定の温度に保温する通常保温モードおよび同加熱手段をＯＦＦにして、まほうびん保温状態で保温するまほうびん保温モードの２つの保温制御モードを有する保温制御手段と、上記通常保温モードおよび同通常保温モードにおける保温温度を選択設定する保温選択スイッチと、上記まほうびん保温モードを選択するスイッチと、上記内容器内の湯の温度を検出する湯温検出手段とを備え、上記まほうびん保温モードを選択するスイッチにより選択されていたまほうびん保温モードが解除された時には、上記湯温検出手段により検出される湯温の降下度合から、上記内容器内への水の継ぎ足しがあったか否かを判定し、水の継ぎ足しがあった時には上記加熱手段により上記内容器内の湯を加熱する一方、水の継ぎ足しがなかった時には、上記通常保温モードにおける所定の設定保温温度で保温を継続するようにしたことを特徴としている。
【００１３】
このような構成によると、通常保温モードからまほうびん保温モードを選択する際に、まほうびん保温モードを選択するスイッチをワンタッチ操作することで簡単に選択することができるようになり、スイッチ操作が煩わしくなくなる。
【００１４】
一方、まほうびん保温モードを選択するスイッチにより選択されていたまほうびん保温モードが解除された時には、上記湯温検出手段により検出される湯温の降下度合から、上記内容器内への水の継ぎ足しがあったか否かを判定し、水の継ぎ足しがあった時には上記加熱手段により上記内容器内の湯を加熱する一方、水の継ぎ足しがなかった時には、上記通常保温モードにおける所定の設定保温温度で保温を継続することにより、それぞれ所望の温度の湯を得ることができるようにしている。
【００１５】
（３）  請求項３の発明
この発明の課題解決手段は、湯沸しおよびまほうびん保温が可能な内容器と、該内容器内の湯を加熱する加熱手段と、該加熱手段に対する電源をＯＮ，ＯＦＦ制御することにより、上記内容器内の湯を所定の温度に保温する保温加熱制御手段とを備えてなる電気ポットであって、通常保温モードおよび同通常保温モードにおける保温温度を選択設定する保温選択スイッチと、まほうびん保温モードを選択するスイッチとを設け、通常保温モード選択中にまほうびん保温モードを選択するスイッチを操作するとまほうびん保温モードに入り、まほうびん保温モード選択中に保温選択スイッチ又は又はまほうびん保温モードを選択するスイッチを操作すると通常保温モードに入るが、通常保温モード選択中に保温選択スイッチを操作しても、まほうびん保温モードには入らないようにする一方、湯沸し中にまほうびん保温モードを選択するスイッチを押すと、湯沸し工程終了後、通常保温モードに優先してまほうびん保温モードに遷移し、まほうびん保温を行うようにしたことを特徴としている。
【００１６】
このような構成によると、通常保温モードおよび同通常保温モードにおける保温温度を選択設定する保温選択スイッチとまほうびん保温モードを選択するスイッチとを備えており、通常保温モード選択中にまほうびん保温モードを選択するスイッチを操作すると、まほうびん保温モードに入り、まほうびん保温モード選択中に保温選択スイッチ又は又はまほうびん保温モードを選択するスイッチを操作すると、通常保温モードに入るが、通常保温モード選択中に保温選択スイッチを操作しても、まほうびん保温モードには入らない。
【００１７】
したがって、通常保温モードからまほうびん保温モードを選択する際には、まほうびん保温モードを選択するスイッチをＯＮ操作するだけのワンタッチ操作で簡単に選択することができるようになり、まほうびん保温モードの選択操作が煩わしくなくなる。
【００１８】
他方、まほうびん保温モードが選択されている時にまほうびん保温モードを選択するスイッチをＯＮ操作すると、まほうびん保温モードから通常保温モードに簡単に移行させることができる。
【００１９】
したがって、日頃よく使う通常保温と省エネ性能の高い省エネ保温のまほうびん保温を容易に使い分けることができるようになり、使い勝手がよくなる。
【００２０】
一方、湯沸し中にまほうびん保温モードを選択するスイッチを押すと、湯沸し工程終了後、通常保温モードに優先してまほうびん保温モードに遷移して、まほうびん保温を行うようにしているので、湯沸し後のまほうびん保温工程への移行も容易で、日頃よく使う通常保温と省エネ性能の高い省エネ保温のまほうびん保温を、より容易に使い分けることができるようになり、より使い勝手がよくなる。
【００２１】
（４）  請求項４の発明
この発明の課題解決手段は、湯沸しおよびまほうびん保温が可能な内容器と、該内容器内の湯を加熱する加熱手段と、該加熱手段に対する電源をＯＮ，ＯＦＦ制御することにより、上記内容器内の湯を所定の温度に保温する保温加熱制御手段と、通常保温モードおよび同通常保温モードにおける保温温度を選択設定する保温選択スイッチと、通常保温モードの選択設定温度を記憶する保温設定温度記憶手段と、まほうびん保温モードを選択するスイッチとを備え、通常保温モード選択中にまほうびん保温モードを選択するスイッチを操作するとまほうびん保温モードに入り、まほうびん保温モード選択中に保温選択スイッチ又は又はまほうびん保温モードを選択するスイッチを操作すると通常保温モードに入るが、通常保温モード選択中に保温選択スイッチを操作しても、まほうびん保温モードには入らないようにしてなる電気ポットであって、上記保温選択スイッチの選択設定操作により、上記通常保温モードの保温設定温度が選択され確定した際には、上記保温設定温度記憶手段に該通常保温モードの保温設定温度を記憶する一方、上記まほうびん保温モードを選択するスイッチが押されてまほうびん保温モードが選択された場合には、上記保温設定温度記憶手段に記憶されている設定温度を更新せず、次にまほうびん保温モードが解除された時には、同それまでに記憶している通常保温モードの保温設定温度で保温するようにしたことを特徴としている。
【００２２】
このような構成によると、通常保温モードおよび同通常保温モードにおける保温温度を選択設定する保温選択スイッチとまほうびん保温モードを選択するスイッチとを備えており、通常保温モード選択中にまほうびん保温モードを選択するスイッチを操作すると、まほうびん保温モードに入り、まほうびん保温モード選択中に保温選択スイッチ又は又はまほうびん保温モードを選択するスイッチを操作すると、通常保温モードに入るが、通常保温モード選択中に保温選択スイッチを操作しても、まほうびん保温モードには入らない。
【００２３】
したがって、通常保温モードからまほうびん保温モードを選択する際に、まほうびん保温モードを選択するスイッチをＯＮ操作するだけのワンタッチ操作で簡単に選択することができるようになり、まほうびん保温モードの選択操作が煩わしくなくなる。
【００２４】
他方、まほうびん保温モードが選択されている時にまほうびん保温モードを選択するスイッチをＯＮ操作すると、まほうびん保温モードから通常保温モードに簡単に移行させることができる。
【００２５】
したがって、日頃よく使う通常保温と省エネ性能の高い省エネ保温のまほうびん保温を容易に使い分けることができるようになり、使い勝手がよくなる。
【００２６】
一方、上記保温選択スイッチの選択設定操作により、上記通常保温モードの保温設定温度が選択され確定した際には、上記保温設定温度記憶手段に該通常保温モードの保温設定温度を記憶する一方、上記まほうびん保温モードを選択するスイッチが押されてまほうびん保温モードが選択された場合には、上記保温設定温度記憶手段に記憶されている設定温度を更新せず、次にまほうびん保温モードが解除された時には、同それまでに記憶している通常保温モードの保温設定温度で保温するようになっている。
【００２７】
したがって、まほうびん保温モードを解除し、通常保温モードに移行した時にも、それまで記憶している設定温度に戻るので、日頃よく使う通常保温の温度と省エネ保温のまほうびん保温を一層容易に使い分けることができるようになり、より使い勝手がよくなる。
【発明の効果】
【００２８】
以上の結果、本願発明の電気ポットによると、通常保温、まほうびん保温相互の切換え時の使い勝手を可及的に向上させることができる。
【発明を実施するための最良の形態】
【００２９】
以下、添付の図面を参照して、本願発明の最良の実施の形態に係る電気ポットの構成と作用について説明する。
【００３０】
（電気ポット本体部の構成）
先ず図１ないし図３には、同本願発明の最良の実施の形態に係る電気ポットの本体および要部の構成が示されている。
【００３１】
この電気ポットは、図１および図２に示すように、貯湯用の内容器３を備えた容器本体１と、該容器本体１の上部側開口部を開閉する蓋体２と、上記内容器３を湯沸し時において加熱する加熱手段である湯沸しヒータ４Ａと、上記内容器３を保温時において加熱する加熱手段である保温ヒータ４Ｂと、上記内容器３内の湯を外部へ給湯するための給湯通路５と、該給湯通路５の途中に設けられた給湯流量計測用の流量センサ８０と、ＡＣ電源が接続されている状態において上記給湯通路５を介して上記内容器３内の湯を外部に送り出す電動給湯ポンプ６と、ＡＣ電源が接続されていない状態において上記給湯通路５を介して内容器３内の湯を外部に送り出すエア式の手動給湯ポンプ１８とを備えて構成されている。
【００３２】
上記容器本体１は、外側面部を構成する合成樹脂製の筒状の外ケース７と、内側面部を構成する上記内容器３と、上記外ケース７と内容器３とを上部側で一体に結合固定する合成樹脂製の環状の肩部材８と、底面部を構成する合成樹脂製の皿状の底部材９とからなっている。
【００３３】
上記内容器３は、ステンレス製の有底円筒形状の内筒１０と同じくステンレス製の円筒形状の外筒１１との間に真空断熱空間を設けた保温性能の高い真空二重構造体からなっており、その底部には、外周部を除いて上記内筒１０の底面部のみにより構成された１枚板部３ａが形成されている。該１枚板部３ａは若干上方に高く突出して成形されていて、その下面側には、上記湯沸しヒータ４Ａと保温ヒータ４Ｂ（例えば雲母板にワット数の異なる２組の発熱体を保持させたマイカヒータよりなる）が取り付けられている。
【００３４】
上記内容器３の上端部には、上記内筒１０側の上端部を中心軸方向に向けて絞り加工したヒートキープ構造の小径の給水口３ｂが形成されている。また符号１２は、上記内容器３の温度（換言すれば、内容器３内の湯の温度）を検出する湯温検出手段として作用する底センサ（湯温センサ）であり、サーミスタよりなっている。さらに、符号１３は上記内容器３の満水位を表示する凸状の満水位表示部である。
【００３５】
上記蓋体２は、合成樹脂製の上板１４と該上板１４に対して外周縁が結合された合成樹脂製の下板１５とからなっており、上記肩部材８の後部に設けられたヒンジ受け１６に対してヒンジピン１７を介して上下方向に開閉自在且つ着脱自在に支持されている。
【００３６】
この蓋体２には、ＡＣ電源が接続されていない状態でも上記給湯通路５を介して外部への給湯が可能なように、手動押圧操作により圧縮作動されるエア式の手動給湯ポンプ１８が配設されている。該手動給湯ポンプ１８は、上記蓋体２の略中央部に形成された円筒部１９内に配設されたベローズタイプのものとされており、押圧カバー２０Ａと押圧板２０Ｂを介して蛇腹構造のベローズ２０Ｃを下方に押圧操作することにより、ベローズ２０Ｃ内の加圧空気２０Ｄが空気吹込口を介して内容器３内に吹き込まれ、該加圧空気の吹き込み圧力によって内容器３内のお湯が給湯通路５を介して外部へ押し出されるようになっている。また、２０Ｅはベローズ２０Ｃの上方への復元バネ、１５Ａは下板１５側のベローズ支持板である。なお、符号２１ａ〜２１ｄは、下方から上方に向けて相互に連通した蓋体２の蒸気排出通路、２２は同蒸気排出通路２１ａ〜２１ｄの蒸気導出部２１ａ側途中に配設された転倒止水弁である。
【００３７】
上記蓋体２における下板１５の下面には、金属製の内カバー部材２３が固定されており、該内カバー部材２３の外周縁には、上記蓋体２の閉蓋時において上記内容器３の給水口３ｂの上面に圧接される耐熱ラバー製のシールパッキン２４が設けられている。
【００３８】
上記給湯通路５の上流端側である上記内容器３の下部位置には、内容器３側湯導入筒６ａ、給湯ポンプ側湯吸入口６ｂを介して直流型の電動給湯ポンプ６が配設されており、この給湯通路５においては上記湯導入筒６ａを介して湯吸入口６ｂより吸入された湯が当該電動給湯ポンプ６のポンピング作用により、その吐出口６ｃから吐出され、同給湯通路５の直管部５ｂを経て、上記流量センサ８０内の流量検出通路を通り、転倒止水弁側連結パイプ５ｃから外部への湯注出口５ｄに導かれる。
【００３９】
さらに、符号３５は、後述する各種スイッチ類の操作面や液晶表示装置の表示部を備えた操作パネル部、５１ａは、後述するマイコン制御部６０や各種スイッチ類３８〜４１，４２，４３ａ，４３ｂ，４４晶表示装置の駆動部等を備えたマイコン基板、５１は、液晶表示装置４７の支持部材、５０は、上記電動給湯ポンプ６の駆動回路や湯沸しヒータ４Ａ、保温ヒータ４Ｂの加熱制御回路、安定化直流電源回路等を備えた電源基板である。
【００４０】
上記操作パネル部３５には、給湯スイッチ３８、給湯ロック解除スイッチ３９、給湯ロック解除表示用ＬＥＤ３９ａ、再沸騰スイッチ４０、省エネコース選択／タイマースイッチ４１、定量給湯モード選択用の計量カップスイッチ４２、保温選択スイッチ４３ａ，４３ｂ、まほうびん保温専用スイッチ（まほうびん保温モードを選択するスイッチ）４４、再沸騰表示用ＬＥＤ４５、保温動作表示用ＬＥＤ４６、液晶表示装置４７（液晶表示面４７ａ）等が設けられている。
【００４１】
なお、この実施の形態の場合、上記保温選択スイッチ４３ａ，４３ｂは、スクリーニング操作による通常保温モード選択設定用の保温モード選択スイッチと設定保温温度のアップ設定スイッチおよびダウン設定スイッチとの２つの機能を兼ねている。
【００４２】
上記液晶表示装置４７には、例えば時刻／時間／湯温設定温度／まほうびん保温等の液晶表示面４７ａが設けられており、低消費電力で各種の必要な情報の表示がなされるようになっている。
【００４３】
また、この電動給湯型の電気ポットは、上記ロック解除スイッチ３９がＯＮ操作されていることを条件として、上記給湯スイッチ３８を押し続ける限り、連続的に上記電動給湯ポンプ６を駆動して湯を注出できる連続給湯モードと、仮に上記ロック解除スイッチ３９がＯＮ操作されていて、かつ給湯スイッチ３８を押し続けても、予じめ計量カップスイッチで設定した所定量の湯を注出すると上記電動給湯ポンプ６が停止するとともに給湯ロックされる定量給湯モードとの２種の給湯モードを備えて構成されている。
【００４４】
上記電動給湯ポンプ６の制御に使用される流量センサ８０は、例えば図３に示されるように、回転支軸８１の外周に螺旋状の回転スクリュー羽根８２を設けたものよりなっていて、それらを給湯通路５の直管部５ｂの途中に嵌合筒８３を介して嵌合固定して支持するとともに、外周部をシリコン弾性体８９で液密にカバーし、その上部外周に透明体よりなる筒状の通路形成部材８４の下端部８４ａを嵌合する。そして、さらに該通路形成部材８４の上端部８４ｂを上記転倒止水弁側連結パイプ５ｃの下端に突き合わせ、同突き合わせ部外周部にスリーブ８８を嵌合してシール状態で連結固定する。
【００４５】
また、該通路形成部材８４の下部側外周には、装置支持フランジ８４ｃが設けられており、その上部に小径の第１の筒壁８５ａと大径の第２の筒壁８５ｂとの２重の筒壁構造を備えた傘状の装置カバー８５が嵌合固定されている。そして、上記第１の筒壁８５ａを利用して装置基板８６が取り付けられており、該装置基板８６上の上記透明な通路形成部材８４を挟んで対向する前後両位置に発光部８７ａと受光部８７ｂが、相互に光軸を一致させた状態で設置されている。該発光部８７ａと受光部８７ｂの光軸は、上記通路形成部材８４内の螺旋状の回転スクリュー羽根８２の上下羽根間の隙間を介したものとなるように、その回転中心軸位置よりも半径方向外方に所定位置偏位させて設置されている。
【００４６】
したがって、上記電動給湯ポンプ６が駆動され、上記直管部５ｂを介して上記通路形成部材８４内の湯流通路を下方から上方に湯が通ると、それによって上記螺旋状の回転スクリュー羽根８２が回転するが、それによって上記発光部８７ａと受光部８７ｂ間の光軸は半回転毎に遮断され、受光部８７ｂからは、その単位時間内の回転速度に応じた所定の個数Ｎの出力信号が出力される。そして、この出力信号の個数Ｎが結局上記電動給湯ポンプ６による給湯量を表わすことになる。
【００４７】
なお、本実施の形態の場合、このように構成された流量センサ８０の出力信号（流量検出信号）は、従来のように常時動作可能な状態にあって、その出力が常時マイコン制御部６０内に読み込まれるようにはなっておらず、後述のように、ユーザーによってロック解除スイッチ３９がＯＮ操作されたか、または同ロック解除スイッチ３９がＯＮ操作され、かつ給湯スイッチ３８がＯＮ操作されて実際に給湯が行われている間だけマイコン制御部６０内に読み込まれ得るようになっている。
【００４８】
これにより、例えばまほうびん保温待機時の待機消費電力を０．７Ｗから０．３Ｗまで低減させることができるようになっている。
【００４９】
（制御回路部の構成）
次に図４は、上記構成の電気ポット本体における制御回路部の構成を示す電気回路図である。
【００５０】
図４中、先ず符号５２はＡＣ電源、４Ａは湯沸しヒータ、４Ｂは保温ヒータ、６０はマイコン制御部、６３は電源電圧のゼロクロス検出回路、６４は平滑コンデサ、６は電動給湯ポンプ（およびポンプ駆動路）、ＲＳは湯沸しヒータ４Ａ作動用の電源スイッチ（リレースイッチ）、ＲＬは同電源スイッチＲＳ駆動用の電源リレー（リレーコイル等リレー駆動回路）、５３は保温ヒータ４Ｂ作動用のトライアック、５７は同トライアック５３駆動用のトランジスタ、６１は上記電動給湯ポンプ６の出湯防止回路、６２は上述の給湯スイッチ３８のＯＮを条件として給湯状態を報知する給湯報知回路である。
【００５１】
また符号６５は、まほうびん保温中に定電圧電源からの電源に代えてマイコン等作動用の直流定電圧電源として使用される充電可能な大容量の電気二重層コンデンサであり、アース側の充電スイッチ回路６６とともに、上記電源リレーＲＬと並列に接続されている（図では１個だが、２個並列に設けることも可能）。
【００５２】
さらに符号６７は、放電電圧検出回路であり、上記電気二重層コンデンサ６５の電圧が規定値以下になったことを検出してマイコン制御部６０に入力するようになっている。
【００５３】
上記湯沸しヒータ４Ａは、例えば上記マイコン制御部６０から湯沸しヒータＯＮ信号が出力されると、先ず上記電源リレーＲＬが作動され、それに対応して電源スイッチＲＳがＯＮになることにより駆動される。
【００５４】
また、上記保温ヒータ４Ｂは、上記マイコン制御部６０から、保温ヒータＯＮ信号が出力されると、上記トランジスタ５７がＯＮになり、トライアック５３がトリガーされて駆動される。
【００５５】
さらに、上記電動給湯ポンプ６は、そのアース側ライン中に挿入された上記給湯スイッチ３８がＯＮ操作されると、上記給湯報知回路６２を介してマイコン制御部６０に同給湯スイッチ３８のＯＮ信号が入力され、それに応じてマイコン制御部６０が上記保温ヒータ４ＢをＯＦＦにするとともに、上記マイコン制御部６０から所定のデューティー比のパルス電圧信号が出力されて、所定のデューティー比で適切に回転駆動される。
【００５６】
また、上記マイコン制御部６０には、図示しないが定電圧電源部（本来の動作電源）を介して所定の定電圧が供給されるようになっている（図示省略）。
【００５７】
また、上記マイコン制御部６０には、さらに液晶表示部４７、再沸騰表示用ＬＥＤ４４、保温動作表示用ＬＥＤ４５、給湯ロック解除表示用ＬＥＤ４６等の各種表示部や給湯スイッチ３８、再沸騰スイッチ４０、給湯ロック解除スイッチ３９、省エネコース選択／タイマースイッチ４１、計量カップスイッチ４２、保温選択スイッチ４３ａ，４３ｂ、まほうびん保温専用スイッチ４４等の各種操作部（スイッチ回路）や温度検知手段１２、流量センサ８０などの各種センサー部（センサ回路）、通常時におけるマイコン作動用の第１のクロック周波数発振器（４ＭＨｚ）５８、まほうびん保温時（省エネ時）におけるマイコン作動用の第２のクロック周波数発振器（３２．７６８ＫＨｚ）５９等が、各々入出力ポートを介して接続されている。
【００５８】
さらに上記回路では、沸騰動作時及び保温動作時等における上記保温ヒータ４ＢのＯＮ時に本来のチョッパー電源回路を用いて上述の電気二重層コンデンサ６５に充電を行う一方、保温ヒータ４ＢのＯＦＦ時には同チョッパー電源回路をマイコン制御により停止させ、上記電気二重層コンデンサ６５の放電電荷によってマイコンや表示部を動作させるようになっており、それによって可及的にまほうびん保温時の待機電力を節約するようにしている。一例として、上記電気二重層コンデンサ６５の耐圧は５．５Ｖ（ＭＡＸ）であり、耐圧を上げるためには直列接続を行えばよいが、そのようにすると合成容量が低下するので、５．５Ｖ（ＭＡＸ）にて充電するようにしている。
【００５９】
この場合、上記電気二重層コンデンサ６５の充電制御は、例えば２Ｆ（ファラッド）のものの場合、充電に約２分間程度必要で、２分間の充電後にマイコン動作電源として１５分間程度動作させることが可能であるとすると、２分＋１５分＝合計１７分を１サイクルとして、２分間のみチョッパー電源回路を生きとして、その間に充電を行い、その後の１５分間は本来の動作電源ＯＦＦでまほうびん保温を継続することができる。
【００６０】
したがって、トータルとして相当な消費電力の低減効果を実現することができる。
【００６１】
また上記回路では、まほうびん保温中でない通常の場合は、第１のクロック周波数発振器５８を使用して第１のクロック周波数４ＭＨｚで動作させているが、まほうびん保温に移行すると、第１のクロック周波数４ＭＨｚから相当に遅い第２のクロック周波数発振器５９の第２のクロック周波数３２．７６８ＫＨｚへの切り替えを行い、それによって可及的にマイコンの消費電力を低減するようにしている。
【００６２】
一方、上記のように電気二重層コンデンサ６５を設けると、その容量特性のために、電源投入時等に電源の立ち上がり時間が長くなり、ユーザーのスイッチ操作に対する反応が遅くなる問題が生じる。そこで、上記の回路では、そのような電源の立ち上がり時には、並列に設けた通常の電解コンデンサ６８の小さな静電容量にて速やかに電源を立ち上げ、その後動作が安定した後に、上記電気二重層コンデンサ６５の方へ充電するようにしている。
【００６３】
また、上記の回路では、上記電気二重層コンデンサ６５の電荷が所定レベル以下に減少してしまい、それによってマイコンがリセットしてしまわないように放電電圧検出回路６７を設けており、それにより上記電気二重層コンデンサ６５が所定の規定電圧以下まで放電した場合には、自動的に上記充電スイッチ回路６６を動作させて５．５Ｖまで充電を開始させるようしている。
【００６４】
このように、以上の回路では放電電圧検出回路６７により、電気二重層コンデンサ６５の放電電位が所定の基準値まで下がると、自動的に充電されるようになっているが、何らかの事情で、電気二重層コンデンサ６５が、次の充電までに放電してしまったような時には、次のような対応を採ることもできる。
【００６５】
（１）  リセットが働き、湯温が高い時には通常保温を実行する。
【００６６】
（２）  湯温が低い時には、通常の湯沸しを実行する。
【００６７】
このようにすると、万一の充電前の放電でも、通常の工程の実行が可能となる。
【００６８】
さらに、従来は、ロック解除スイッチ３９を操作することなく給湯スイッチ３８が操作され、電動給湯ポンプ６に駆動電圧が印加された場合、保温ヒータ４Ｂを強制的に駆動することによって電動給湯ポンプ６に電圧が印加されないようにしていたが、上述のように本実施の形態では、マイコンのクロック周波数が通常時の第１のクロック周波数４ＭＨｚ（通常モード）からまほうびん保温時の第２のクロック周波数３２．７６８ＫＨｚ（低消費電力モード）に切り替えられるようになっている。したがって、同切り替えられた時に、上記給湯スイッチ３８のＯＮ操作時から保温ヒータ４Ｂの強制駆動時まで時間遅れが発生し、そのままでは出湯に対する保護ができない。
【００６９】
したがって、その対策として、以上の回路では上述のようにハード的に出湯保護回路６１を設けており、それによって上記ロック解除スイッチ３９のＯＮ信号が入力されると、その後にマイコンにより同出湯保護回路６１の出湯保護機能を解除するようにしている。
【００７０】
（省エネコース選択時の保温制御）
次に、図５は、上記のように構成された電気ポットにおける省エネコース選択時の省エネ保温制御の制御パターンの一例を示している。
【００７１】
この省エネ保温制御では、例えば図５のタイムチャートに示すように、１日２４時間の内の各家庭で湯を必要とする時間帯に合わせて、電気ポット（マイコン制御部６０）が自動的に湯沸しヒータ４Ａ、保温ヒータ４ＢのＯＮ状態とＯＦＦ状態とを切り替え、起床時６：００から就寝時２３：００および就寝中間のトータルの消費電力が最も少なくなるように、上述のまほうびん保温機能（保温ヒータ４ＢのＯＦＦによる断熱保温機能）を活かした消費電力の少ない効率的な加熱保温制御を実現するようになっている。
【００７２】
（まほうびん保温選択時の制御）
ところで、本実施の形態では、上記のように、従来からある保温選択スイッチ４３ａ，４３ｂとは別に、上述のような電源ＯＦＦの「まほうびん保温」モードを選択設定する専用のまほうびん保温スイッチ４４が設けられており、通常保温中に「まほうびん保温スイッチ４４」を押すと通常の保温からまほうびん保温工程へすぐに遷移する。他方、湯沸し中に「まほうびん保温スイッチ４４」を押すと、湯沸し工程終了後に通常の保温工程より優先的にまほうびん保温工程へ遷移し、まほうびん保温工程を行うようにしている。
【００７３】
このような構成にすると、いつでも、まほうびん保温を選択できるし、通常保温よりまほうびん保温の方が優先されるために、省エネ性能が向上する。
【００７４】
また、本実施の形態における上記マイコン制御部６０は、まほうびん保温以外の選択設定温度を記憶する保温設定温度記憶手段を持っていて、まほうびん保温以外の通常保温モードの保温設定温度が選択され確定した際には、同保温設定温度記憶手段に該通常保温モードの設定温度を記憶するようになっている。そして、まほうびん保温スイッチ４４が押され、「まほうびん保温モード」が選択された場合には、同保温設定温度記憶手段に記憶している設定温度は更新せず、「まほうびん保温モード」が解除された時には、それまでに記憶している日常使用されている元の設定温度（まほうびん保温を選択する直前の通常保温モードの設定温度）で保温するようになっている。
【００７５】
そして、その場合、上記「まほうびん保温モード」での保温時には、その加熱制御及び保温表示については「まほうびん保温制御」の方を優先するようになっている。
【００７６】
一方、「まほうびん保温」中に停電等で記憶している設定温度がリセットされたような場合には、「まほうびん保温」を解除した時に改めて移行する設定温度は、例えば初期設定温度の９０℃とするようになっている。
【００７７】
以下、これらの本実施の形態特有の各制御機能について、詳細に説明する。
【００７８】
（保温設定温度記憶手段への設定温度の記憶制御）
先ず図６のフローチャートは、設定温度の記憶制御フローを示している。
【００７９】
同制御では、先ずステップＳ1で、上述の設定温度記憶手段に基準となる初期設定温度９０℃を記憶させて保持する。
【００８０】
そして、その後、ユーザーがまほうびん保温以外の保温温度を選択したか否かを判定し、ＹＥＳの場合にはステップＳ3に進んで、設定温度記憶手段に記憶させる設定温度を新たに設定された保温温度に更新する。
【００８１】
他方、ＮＯの場合には、ステップＳ4に進んで、同設定温度記憶手段の記憶温度を９０℃のままに保持する。
【００８２】
（まほうびん保温状態から通常保温状態の設定温度への復帰・・・まほうびん保温スイッチ４４使用の場合）
次に図７のフローチャートは、まほうびん保温状態から通常保温状態の設定温度へ復帰する場合の制御フローを示している。
【００８３】
このフローでは、先ずステップＳ1で停電の有無を検出する。その結果、ＹＥＳの停電があった場合は、一旦ステップＳ2で、上記保温設定温度記憶手段に基準となる保温温度９０℃を記憶保持させた上で、ステップＳ3に進んで、まほうびん保温のためのまほうびん保温スイッチ４４がＯＮ操作されたか否かを判定する。他方、ＮＯの停電がなかった場合には同ステップＳ2を経ることなく、ステップＳ3に進む。
【００８４】
ステップＳ3でのまほうびん保温スイッチ４４の操作判定の結果、ＮＯの場合は、ＹＥＳとなるまで、以上の処理を繰り返す。
【００８５】
一方、ステップＳ3の判定でＹＥＳの場合には、ステップＳ4に進んでそれまでの「まほうびん保温モード」を解除し、さらにステップＳ5で、現在記憶している設定温度の設定確認モードに移行する。要するに、まほうびん保温スイッチ４４の１回のＯＮにより設定保温モードに戻る場合は、現在記憶している温度に戻るだけであり、設定温度記憶手段の更新はしない。
【００８６】
そして、その上で最終的にステップＳ6に進み、同設定保温温度での通常保温モードへ移行する。
【００８７】
このような構成によると、まほうびん保温がまほうびん保温スイッチ４４のワンタッチで選択でき、また同スイッチ４４のワンタッチで通常保温モードに戻ることができ、使い勝手が向上する。
【００８８】
また、近年の電気ポットは省エネ志向が非常に高いので、そのような省エネ専用キーを設けることで省エネに特化している商品としてのアピール性が高くなる。
【００８９】
さらに、まほうびん保温以外の通常保温用の設定温度を記憶しておき、まほうびん保温が解除された時に同記憶している設定温度に自動復帰することは、ユーザーが普段よく使用している保温温度に復帰できることであり、再度設定しなおす手間が省けてより使い勝手が向上する。
【００９０】
（まほうびん保温状態から通常保温状態の設定温度への復帰・・・保温選択スイッチ４３ａ，４３ｂ使用の場合）
次に図８のフローチャートは、まほうびん保温状態から通常保温状態の設定温度へ復帰する場合の制御フローを示している。
【００９１】
このフローでは、先ずステップＳ1で停電の有無を検出する。その結果、ＹＥＳの停電があった場合は、一旦ステップＳ2で、上記設定温度記憶手段に基準となる初期保温温度９０℃を記憶保持させた上で、ステップＳ3に進んで、通常保温のための保温選択スイッチ４３ａ，４３ｂがＯＮ操作されたか否かを判定する。その結果、ＮＯの停電がなかった場合にはステップＳ2を経ることなく、ステップＳ3に進む。
【００９２】
ステップＳ3での保温選択スイッチ４３ａ，４３ｂの操作判定の結果、ＮＯの場合は、ＹＥＳとなるまで、以上の処理を繰り返す。
【００９３】
他方、同ステップＳ3の判定でＹＥＳの場合には、ステップＳ4に進んでそれまでの「まほうびん保温モード」を解除し、さらにステップＳ5で、現在記憶している設定温度の設定確認モードに移行する。要するに、保温選択スイッチ４３ａ，４３ｂの１回のＯＮにより設定保温モードに戻る場合は、現在記憶している設定温度に戻るだけであり、設定温度記憶手段の設定値の更新はしない。
【００９４】
そして、その上で最終的にステップＳ6に進み、同設定保温温度での通常保温モードへ移行する。
【００９５】
このような構成によると、まほうびん保温の選択および通常保温への復帰がワンタッチで選択できることで、使い勝手が向上する。
【００９６】
また、近年の電気ポットは省エネ志向が非常に高いので、省エネ専用キーを設けることで省エネに特化している商品としてのアピール性が高くなる。
【００９７】
さらに、まほうびん以外の設定温度を記憶しておき、まほうびん保温が解除された時に同記憶している設定温度に自動復帰することは、ユーザーが普段よく使用している保温温度に復帰できることであり、再度設定しなおす手間が省けて使い勝手が向上する。
【００９８】
（保温設定温度記憶手段等を別々に設けた場合）
以上の方法に変えて、例えば保温設定温度記憶手段を、通常保温時用とまほうびん保温時用と別々に持たせ、まほうびん保温を選択するとまほうびん保温を記憶させるようにし、まほうびん保温中に停電が生じ、バックアップ時間中に復電すると、まほうびん保温が記憶されているので「まほうびん保温」から通電が開始され、他方まほうびん保温を解除すると、もう一つの通常保温時用の保温設定温度記憶手段で記憶している通常保温温度での保温制御を行わせるようにすることもできる。
【００９９】
（まほうびん保温モード解除時の自動沸とう制御）
次に図９のフローチャートは、まほうびん保温モード解除時の水温低下による自動沸とう制御について示している。
【０１００】
この制御では、先ずステップＳ1で、上述のようなまほうびん保温モードが解除される状態となっているか否かを判定し、同解除状態になると、続くステップＳ2で、現在の湯の温度が所定の自動再沸とう温度よりも低下しているか否かを判定する。
【０１０１】
その結果、ＹＥＳの場合はステップＳ3の自動再沸とうモードに移行する一方、ＮＯの場合は、ステップＳ4．Ｓ5，Ｓ6に進んで、そのまま保温モードを継続しながら、設定保温温度での保温加熱（保温ヒータ４ＢのＯＮ，ＯＦＦ）を行なって、当該設定保温温度での保温を実行する。
【０１０２】
（まほうびん保温モード解除時の沸とうモードへの移行制御）
次に図１０のフローチャートは、まほうびん保温モード解除時の所定水温以下への水温低下に対応した沸とうモードへの移行制御について示している。
【０１０３】
この制御では、先ずステップＳ1で、上述のようなまほうびん保温モードが解除される状態となっているか否かを判定し、同解除状態になると、続くステップＳ2で、現在の湯の温度が所定の水温５０℃よりも低下しているか否かを判定する。
【０１０４】
その結果、ＹＥＳの場合はステップＳ3の沸とうモードに移行する一方、ＮＯの場合は、ステップＳ4．Ｓ5，Ｓ6に進んで、そのまま保温モードを継続しながら、設定保温温度での保温加熱（保温ヒータＯＮ，ＯＦＦ）を行なって、当該設定保温温度での保温を実行する。
【０１０５】
また、まほうびん保温モードで保温中に、「再沸騰」操作を行った時は、一旦まほうびん保温をメモリーしておき、沸騰後に再びまほうびん保温を実行するようにし、まほうびん保温で保温中に水を継ぎ足す等で「沸騰」工程をおこなった時は、まほうびん保温をメモリーしておき。沸騰後にまほうびん保温工程を実行するようにしている。
【０１０６】
このような構成によると、まほうびん保温を選択していると「再沸騰」「沸騰」工程を行ってもまほうびん保温をメモリーしているため、自動でまほうびん保温工程を行うため、自然と省エネ作用が達成される。
【０１０７】
また、「まほうびん保温」から通常の保温工程へ戻る場合は、まほうびん保温で保温中に、さらにまほうびん保温スイッチ４４をＯＮ操作する。すると通常の保温工程へ遷移するようにしている。
【０１０８】
このような構成すると、まほうびん保温を効果的に利用することができる。
【０１０９】
（水の継ぎ足しに対応したまほうびん保温モード解除時の制御）
次に図１１のフローチャートは、水の継ぎ足しに対応したまほうびん保温モード解除時の制御について示している。
【０１１０】
この制御では、上述のような「まほうびん保温制御」を行っている時に、急激な水温降下があった場合は、水の継ぎ足しがあったと判定して一度沸騰させ、常に清潔なお湯を提供することができるようにしたことを特徴とするものである。
【０１１１】
この制御では、先ず最初にステップＳ1で水の継ぎ足し判定のラグをゼロにリセットした上で制御を開始し、続くステップＳ2で、上述のまほうびん保温モードが選択設定されている否かを判定する。そして、その結果、ＹＥＳの場合は、まほうびん保温表示用ＬＥＤを点灯させて表示し、まほうびん保温制御を実行する。その後、水の継ぎ足しの有無を判定し、ＹＥＳの時は、ステップＳ5で水の継ぎ足しフラグ１をにセットした後、ステップＳ6で、上述のようなまほうびん保温モードが解除されたか否かを判定し、同解除状態になると、続くステップＳ7に進み、沸とうモードに移行し、一度沸とうさせた上でステップＳ8〜Ｓ10の設定温度での通常保温モードに移行する。
【０１１２】
他方、ＮＯの時は、ステップＳ8で水の継ぎ足しフラグを０にセットした後、通常保温モードに移行し、設定保温温度への保温加熱（保温ヒータ４ＢのＯＮ，ＯＦＦ）を行なって、当該設定保温温度での保温を実行する。
【０１１３】
（まほうびん保温時におけるまほうびん保温表示の省エネ対策について）
まほうびん保温スイッチ４４のＯＮにより、上述のような「まほうびん保温モード」が選択設定された場合、すでに述べたように「まほうびん保温表示」がなされるが、その表示方法には、以下に述べるような各種の省エネ対策が採用される。
【０１１４】
（１）  第１の省エネ表示方法
この方法の場合、例えば図１２のフローチャートに示されるように、保温制御開始後、先ずステップＳ1で、現在の保温モードが「まほうびん保温モード」であるか否かを判定する。
【０１１５】
その結果、ＮＯの「まほうびん保温モード」でない「通常保温モード」である場合には、ステップＳ2に進んで、保温表示用ＬＥＤ４６を通常の明るい輝度で点灯させるとともに、続くステップＳ3で、その時の設定保温温度（例えば９０℃）を液晶表示装置４７の液晶表示面４７ａに表示して、「通常保温モード」での保温制御を実行する。
【０１１６】
すなわち、温度センサ１２の検出値に基いて検出された湯温がその時の設定温度以下まで低下しているか否かをウォッチング（ステップＳ4）しながら、検出された湯温が同設定温度よりも高い場合（ＮＯ）には、保温ヒータ４ＢをＯＦＦ（ステップＳ5）、湯沸しヒータ４ＡもＯＦＦ（ステップＳ6）にする。他方、検出された湯温が、同設定温度よりも低い場合（ＹＥＳ）には、保温ヒータ４ＢをＯＮ（ステップＳ7）にする一方、湯沸しヒータ４ＡはＯＦＦ（ステップＳ8）して設定温度までの保温加熱を実行する。
【０１１７】
一方、上述のステップＳ1の判定で、現在の保温モードが「まほうびん保温モード」であると判定された場合には、ステップＳ9に進んで、上記保温表示用ＬＥＤ４６の輝度を上記通常保温モードの時よりも落して暗点灯させ、消費電力を可及的に小さくする。
【０１１８】
他方、その後ステップＳ10に進み、液晶表示装置４７の液晶表示面４７ａに通常保温モードの時と同様の設定温度表示を行う。
【０１１９】
そして、保温ヒータ４Ｂ、湯沸しヒータ４Ａ共にＯＦＦして「まほうびん保温」を実行する（ステップＳ11，Ｓ12）。
【０１２０】
このように、通常の保温表示のＬＥＤ４６とまほうびん保温表示のＬＥＤを兼用し、まほうびん保温モード選択時には通常保温モード時よりも輝度を落として保温表示を行わせるようにすると、それだけ省エネ性能が向上するとともに、通常の保温とまほうびん保温の明確な差別化を図ることができる。またＬＥＤの数が少なくてすみ、製品のコストダウンになる。
【０１２１】
（２）  第２の省エネ表示方法
この方法の場合、例えば図１３のフローチャートに示されるように、保温制御開始後、先ずステップＳ1で、現在の保温モードが「まほうびん保温モード」であるか否かを判定する。
【０１２２】
その結果、ＮＯの「まほうびん保温モード」でない「通常保温モード」である場合には、ステップＳ2に進んで、保温表示用ＬＥＤ４６を連続点灯させるとともに、続くステップＳ3で、その時の設定保温温度（例えば９０℃）を液晶表示装置４７の液晶表示面４７ａに表示して、「通常保温モード」での保温制御を実行する。
【０１２３】
すなわち、温度センサ１２の検出値に基いて検出された湯温がその時の設定温度以下まで低下しているか否かをウォッチング（ステップＳ4）しながら、検出された湯温が同設定温度よりも高い場合（ＮＯ）には、保温ヒータ４ＢをＯＦＦ（ステップＳ5）、湯沸しヒータ４ＡもＯＦＦ（ステップＳ6）にする。他方、検出された湯温が、同設定温度よりも低い場合（ＹＥＳ）には、保温ヒータ４ＢをＯＮ（ステップＳ7）にする一方、湯沸しヒータ４ＡはＯＦＦ（ステップＳ8）にして設定温度までの保温加熱を実行する。
【０１２４】
一方、上述のステップＳ1の判定で、現在の保温モードが「まほうびん保温モード」であると判定された場合には、ステップＳ9に進んで、上記保温表示用ＬＥＤ４６を点滅させて、消費電力を可及的に小さくする。
【０１２５】
他方、その後ステップＳ10に進み、液晶表示装置４７の液晶表示面４７ａに通常保温モードの時と同様の設定温度表示を行う。
【０１２６】
そして、保温ヒータ４Ｂ、湯沸しヒータ４Ａ共にＯＦＦにして「まほうびん保温」を実行する（ステップＳ11，Ｓ12）。
【０１２７】
このように、通常の保温表示用のＬＥＤ４６とまほうびん保温表示用のＬＥＤを１つのＬＥＤで兼用し、まほうびん保温モード選択時には、同ＬＥＤ４６を点滅させて保温表示を行わせるようにすると、そのＯＦＦ時間分だけ省エネ性能が向上するとともに、通常の保温とまほうびん保温の差別化を図ることができる。また別々に専用のＬＥＤを設ける場合に比べてＬＥＤの数が少なくてすみ、製品のコストダウンになる。
【０１２８】
（３）  第３の省エネ表示方法
上述のように「まほうびん保温」時の「まほうびん保温表示」を通常保温表示用ＬＥＤ４６で表示すると、消費電力が大きい。
【０１２９】
そこで、この第３の表示方法では、上述の第１，第２の表示方法の場合とは異なり、「まほうびん保温モード」表示専用の特に消費電力の小さいＬＥＤを別に設け、まほうびん保温モード選択時には、同専用のＬＥＤを点灯させることにより、可能な限り消費電力を節減するようにしたことを特徴とするものである。
【０１３０】
この方法の場合、例えば図１４のフローチャートに示されるように、保温制御開始後、先ずステップＳ1で、現在の保温モードが「まほうびん保温モード」であるか否かを判定する。
【０１３１】
その結果、ＮＯの「まほうびん保温モード」でない「通常保温モード」である場合には、ステップＳ2に進んで、上述の保温表示用ＬＥＤ４６を通常点灯させるとともに、続くステップＳ3で、その時の設定保温温度（例えば９０℃）を液晶表示装置４７の液晶表示面４７ａに表示して、「通常保温モード」での保温制御を実行する。
【０１３２】
すなわち、温度センサ１２の検出値に基いて検出された湯温がその時の設定温度以下まで低下しているか否かをウォッチング（ステップＳ4）しながら、検出された湯温が同設定温度よりも高い場合（ＮＯ）には、保温ヒータ４ＢをＯＦＦ（ステップＳ5）、湯沸しヒータ４ＡもＯＦＦ（ステップＳ6）にする。他方、検出された湯温が、同設定温度よりも低い場合（ＹＥＳ）には、保温ヒータ４ＢをＯＮ（ステップＳ7）にする一方、湯沸しヒータ４ＡはＯＦＦ（ステップＳ8）にして設定温度までの保温加熱を実行する。
【０１３３】
一方、上述のステップＳ1の判定で、現在の保温モードが「まほうびん保温モード」であると判定された場合には、先ずステップＳ9に進んで、上記保温表示用ＬＥＤ４６を消灯し、ステップＳ10に進んで、上記まほうびん保温表示専用のＬＥＤを点灯させて「まほうびん保温」表示し、消費電力を可及的に小さくする。
【０１３４】
その後ステップＳ11に進み、液晶表示装置４７の液晶表示面４７ａに通常保温モードの時と同様の設定温度の表示を行う。
【０１３５】
そして、その後、保温ヒータ４Ｂ、湯沸しヒータ４Ａ共にＯＦＦにして「まほうびん保温」を実行する（ステップＳ12，Ｓ13）。
【０１３６】
このように、通常保温モードでは通常の保温表示用のＬＥＤ４６の点灯で報知する一方、まほうびん保温選択時には同ＬＥＤ４６を消灯させて、同ＬＥＤ４６よりも消費電力の小さい「まほうびん保温」専用のＬＥＤで表示させるようにすると、それだけ省エネ性能が向上するとともに、通常の保温とまほうびん保温の明確な差別化を図ることができる。
【０１３７】
（４）  第４の省エネ表示方法
上述のように「まほうびん保温」時の「まほうびん保温表示」を保温表示用ＬＥＤ４６で表示すると、消費電力が大きい。
【０１３８】
そこで、この方法では、同ＬＥＤ４６による「まほうびん保温表示」を設定温度の表示とともに液晶での表示（まほうびんの文字）に変え、可能な限り消費電力を節減するようにしたことを特徴とするものである。
【０１３９】
この方法の場合、例えば図１５のフローチャートに示されるように、保温制御開始後、先ずステップＳ1で、現在の保温モードが「まほうびん保温モード」であるか否かを判定する。
【０１４０】
その結果、ＮＯの「まほうびん保温モード」でない「通常保温モード」である場合には、ステップＳ2に進んで、保温表示用ＬＥＤ４６を通常点灯させるとともに、続くステップＳ3で、その時の設定保温温度（例えば９０℃）を液晶表示装置４７の液晶表示面４７ａに表示して、「通常保温モード」での保温制御を実行する。
【０１４１】
すなわち、温度センサ１２の検出値に基いて検出された湯温がその時の設定温度以下まで低下しているか否かをウォッチング（ステップＳ4）しながら、検出された湯温が同設定温度よりも高い場合（ＮＯ）には、保温ヒータ４ＢをＯＦＦ（ステップＳ5）、湯沸しヒータ４ＡもＯＦＦ（ステップＳ6）にする。他方、検出された湯温が、同設定温度よりも低い場合（ＹＥＳ）には、保温ヒータ４ＢをＯＮ（ステップＳ7）にする一方、湯沸しヒータ４ＡはＯＦＦ（ステップＳ8）にして設定温度までの保温加熱を実行する。
【０１４２】
一方、上述のステップＳ1の判定で、現在の保温モードが「まほうびん保温モード」であると判定された場合には、先ずステップＳ9に進んで、上記保温表示用ＬＥＤ４６を消灯し、消費電力を可及的に小さくする。
【０１４３】
他方、その後ステップＳ10，Ｓ11に進み、液晶表示装置４７の液晶表示面４７ａに「まほうびん保温」の文字表示を行った上で、さらに通常保温モードの時と同様の設定温度の表示を行う。
【０１４４】
そして、その後、保温ヒータ４Ｂ、湯沸しヒータ４Ａ共にＯＦＦにして「まほうびん保温」を実行する（ステップＳ12，Ｓ13）。
【０１４５】
このように、通常の保温表示はＬＥＤ４６の点灯で報知する一方、まほうびん保温選択時には同ＬＥＤ４６を消灯させて、消費電力の小さい液晶表示装置４７の液晶表示面４７ａ内での表示のみとすると、それだけ省エネ性能が向上するとともに、通常の保温とまほうびん保温の極めて明確な差別化をも図ることができる。またＬＥＤの数が少なくてすみ、より製品のコストダウンになる。
【０１４６】
（５）  第５の省エネ表示方法
この表示方法では、通常の保温表示はＬＥＤ４６で報知する一方、通常保温モード選択時は液晶表示装置４７の表示面４７ａには内容物の温度表示等の保温時にユーザーにとって必要な情報を表示するようにする。他方、まほうびん保温選択時にはＬＥＤ４６を消灯させ、全てを液晶表示装置４７による表示のみとして省エネを図り、しかも、まほうびん保温時の温度表示は通常保温時の液晶表示とは異なる文字数の少ない小さな表示としたことを特徴とするものである。
【０１４７】
この方法の場合、例えば図１６のフローチャートに示されるように、保温制御開始後、先ずステップＳ1で、現在の保温モードが「まほうびん保温モード」であるか否かを判定する。
【０１４８】
その結果、ＮＯの「まほうびん保温モード」でない「通常保温モード」である場合には、ステップＳ2に進んで、保温表示用ＬＥＤ４６を通常点灯させるとともに、続くステップＳ3で、その時の設定保温温度（例えば９０℃）を液晶表示装置４７の液晶表示面４７ａに表示して、「通常保温モード」での保温制御を実行する。
【０１４９】
すなわち、温度センサ１２の検出値に基いて検出された湯温がその時の設定温度以下まで低下しているか否かをウォッチング（ステップＳ4）しながら、検出された湯温が同設定温度よりも高い場合（ＮＯ）には、保温ヒータ４ＢをＯＦＦ（ステップＳ5）、湯沸しヒータ４ＡもＯＦＦ（ステップＳ6）にする。他方、検出された湯温が、同設定温度よりも低い場合（ＹＥＳ）には、保温ヒータ４ＢをＯＮ（ステップＳ7）にする一方、湯沸しヒータ４ＡはＯＦＦ（ステップＳ8）にして設定温度までの保温加熱を実行する。
【０１５０】
一方、上述のステップＳ1の判定で、現在の保温モードが「まほうびん保温モード」であると判定された場合には、先ずステップＳ9に進んで、上記保温表示用ＬＥＤ４６を消灯し、消費電力を可及的に小さくする。
【０１５１】
他方、その後ステップＳ10に進み、上記液晶表示装置４７の液晶表示面４７ａに「まほうびん」の文字表示を行った後、さらに通常保温モードの時に比べて小さい数字での設定温度の表示を行う。
【０１５２】
そして、その後、保温ヒータ４Ｂ、湯沸しヒータ４Ａ共にＯＦＦにして「まほうびん保温」を実行する（ステップＳ12，Ｓ13）。
【０１５３】
このように、通常の保温表示用のＬＥＤ４６をまほうびん保温表示には一切使用せず、まほうびん保温モード選択時には通常保温モード時よりも消費電力の小さい液晶表示のみを行うようにし、しかも「まほうびん」のみの文字数の少ない文字表示と小さな数字での設定温度表示を行わせるようにすると、それだけ省エネ性能が向上するとともに、通常の保温とまほうびん保温の明確な差別化を図ることができる。またＬＥＤの数が少なくてすみ、製品のコストダウンになる。
【図面の簡単な説明】
【０１５４】
【図１】本願発明の最良の実施の形態の電気ポット本体部分の構成を示す側方から見た縦断面図である。
【図２】同電気ポット本体部分の平面図である。
【図３】同電気ポット本体部分の流量センサ部の拡大縦断面図である。
【図４】同電気ポット本体部分の制御回路図である。
【図５】同電気ポットの省エネコース選択時の１日を通した基本的な保温制御パターンを示す図である。
【図６】同電気ポットの設定温度記憶制御ルーチンのフローチャートである。
【図７】同電気ポットのまほうびん保温スイッチを用いたまほうびん保温モード解除制御ルーチンのフローチャートである。
【図８】同電気ポットの保温選択スイッチを用いたまほうびん保温解除制御ルーチンのフローチャートである。
【図９】同電気ポットのまほうびん保温解除後の自動再沸とう制御ルーチンのフローチャートである。
【図１０】同電気ポットのまほうびん保温解除後の水温低下による沸とうモード移行制御ルーチンのフローチャートである。
【図１１】同電気ポットのまほうびん保温解除後の水継ぎ足し検知による沸とう制御ルーチンのフローチャートである。
【図１２】同電気ポットのまほうびん保温時の第１の表示制御方法のフローチャートである。
【図１３】同電気ポットのまほうびん保温時の第２の表示制御方法のフローチャートである。
【図１４】同電気ポットのまほうびん保温時の第３の表示制御方法のフローチャートである。
【図１５】同電気ポットのまほうびん保温時の第４の表示制御方法のフローチャートである。
【図１６】同電気ポットのまほうびん保温時の第５の表示制御方法のフローチャートである。
【図１７】従来の電気ポットの保温選択スイッチの一例を示す図である。
【符号の説明】
【０１５５】
１は容器本体、２は蓋体、３は内容器、４Ａは湯沸しヒータ、４Ｂは保温ヒータ、５は給湯通路、６は電動給湯ポンプ、７は外ケース、１０は内筒、１１は外筒、１２は温度センサ、１８は手動給湯ポンプ、４３ａ，４３ｂは保温選択スイッチ、４４はまほうびんスイッチ、６０はマイコン制御部である。
【図１】
2008237926.tif 000003
【図２】
2008237926.tif 000004
【図３】
2008237926.tif 000005
【図４】
2008237926.tif 000006
【図５】
2008237926.tif 000007
【図６】
2008237926.tif 000008
【図７】
2008237926.tif 000009
【図８】
2008237926.tif 000010
【図９】
2008237926.tif 000011
【図１０】
2008237926.tif 000012
【図１１】
2008237926.tif 000013
【図１２】
2008237926.tif 000014
【図１３】
2008237926.tif 000015
【図１４】
2008237926.tif 000016
【図１５】
2008237926.tif 000017
【図１６】
2008237926.tif 000018
【図１７】
2008237926.tif 000019